(57)【要約】【課題】  高級感あふれるデザインにマッチしたスピーカやマイクなどの収納方法を採用した撮像装置を提供する。【解決手段】  撮影レンズ体を有する撮像装置本体に所定の方向にスライド可能に配置され、撮像レンズ体を保護するスライドカバー部を有した撮像装置において、撮像装置本体の一側面から前記所定の方向に延びる中空部を設け、スライドカバー部側には、前記中空部に挿入可能な挿入体と、該挿入体部に備えられ、前記挿入体が否露出状態では外部空間に表出されず、露出状態で外部空間に表出されるスピーカ、及び／またはマイクを設けた。【選択図】  図６
2006067148.tif 000002
【特許請求の範囲】
【請求項１】
撮影レンズ体を有する撮像装置本体と、該撮像装置本体に所定の方向にスライド可能に配置されるスライドカバー部とを備え、
前記スライドカバー部には、閉状態では外部空間に表出されず、開状態で外部空間に表出されるスピーカ及び／またはマイクとを有することを特徴とする撮像装置。
【請求項２】
撮影レンズ体を有する撮像装置本体と、該撮像装置本体に所定の方向にスライド可能に配置されて前記撮像レンズ体を保護するスライドカバー部とを備え、
前記スライドカバー部には、前記撮像レンズ体を保護するレンズカバー部と、前記レンズカバー部が前記撮像レンズ体を覆っている状態では外部空間に表出されず、前記レンズカバー部を所定方向にスライドさせて前記撮像レンズ体を露出させた状態で外部空間に表出されるスピーカ及び／またはマイクとを有することを特徴とする撮像装置。
【請求項３】
撮影レンズ体を有する撮像装置本体と、該撮像装置本体に所定の方向にスライド可能に配置されて前記撮像レンズ体を保護するスライドカバー部とを備え、
前記撮像装置本体には一側面から前記所定の方向に延びる中空部が設けられ、
前記スライドカバー部には、前記中空部に挿入可能な挿入体と、該挿入体部に備えられ、前記挿入体が否露出状態では外部空間に表出されず、露出状態で外部空間に表出されるスピーカ及び／またはマイクとを有することを特徴とする撮像装置。
【請求項４】
撮影レンズ体を有する撮像装置本体と、該撮像装置本体に所定の方向にスライド可能に配置されて前記撮像レンズ体を保護するスライドカバー部とを備え、
前記撮像装置本体には一側面から前記所定の方向に延びる中空部が設けられ、
前記スライドカバー部には、前記撮像レンズ体を保護するレンズカバー部と一体の前記中空部に挿入可能な挿入体と、該挿入体部に備えられ、前記レンズカバー部が前記撮像レンズ体を覆っている状態では外部空間に表出されず、前記レンズカバー部を所定方向にスライドさせて前記撮像レンズ体を露出させた状態で外部空間に表出されるスピーカ及び／またはマイクとを有することを特徴とする撮像装置。
【請求項５】
前記挿入体は切り欠き部を有し、前記挿入体が露出した状態で切り欠き部が撮像装置本体から露出して挿入体内部と外部空間とが連通することを特徴とする請求項３または４に記載した撮像装置。
【請求項６】
前記スピーカ及び／またはマイクは、前記挿入体の内側に収納されていることを特徴とする請求項３乃至５のいずれかに記載した撮像装置。
【請求項７】
前記スピーカ及び／またはマイクは、前記挿入体における前記スライドカバー部のスライド方向側面内側に収納されていることを特徴とする請求項６に記載した撮像装置。
【請求項８】
撮影レンズ体を有する撮像装置本体と、該撮像装置本体に所定の方向にスライド可能に配置されて前記撮像レンズ体を保護するスライドカバー部とを備え、
前記撮像装置本体には一側面から前記所定の方向に延びる中空部が設けられ、
前記スライドカバー部には、前記撮像レンズ体を保護するレンズカバー部と一体となり、切り欠き部を有して前記中空部に挿入可能な挿入体と、該挿入体部における内側に備えられ、前記レンズカバー部が前記撮像レンズ体を覆っている状態では外部空間に表出されず、前記レンズカバー部を所定方向にスライドさせて前記撮像レンズ体を露出させた状態では前記切り欠き部を介して外部空間に表出されるスピーカ及び／またはマイクとを有することを特徴とする撮像装置。
【発明の詳細な説明】
【技術分野】
【０００１】
本発明は、電子カメラ（デジタルカメラ）等における撮像装置に関し、特に、撮影レンズ体を保護するため非撮影時は撮影レンズ体を覆い、撮影時にスライドさせて撮影レンズ体を表出させるスライドカバー部を備え、かつ、外見上、スピーカやマイクなどの音声用の孔が見えないようにした撮像装置に関するものである。
【背景技術】
【０００２】
電子カメラ（デジタルカメラ）はフィルムを用いたカメラと異なり、撮像素子として用いられるＣＣＤ（電荷結合素子）などの画素数が増大しているにもかかわらず、素子自体の大きさがそれほど大型化していないため、小型化、薄型化、低価格化が急速に進み、低価格な普及機はかなりの普及率を示して、最近では、所有すること自体が持つ人に満足感を与えるような個性化が要求されるようになってきている。
【０００３】
すなわち、例えばカメラ自体の外観が高級ライターのようにスマートで、机上にアクセサリとしておくことが可能であり、持ち歩きに際しても、それを見た人に、「これは何」というような興味を起こさせるような高級感あふれる、スティタスシンボルとなるようなデザインが求められ始めている。
【０００４】
こういった要求に応えるためには、例えば撮影レンズ体を沈胴式とし、非撮影時は撮像装置本体に収納された撮影レンズ体を覆い、撮影時にスライドさせて撮影レンズ体を表出させるスライドカバー部を設け、非撮影時の外観を、前記した高級ライターのようにすることも一案である。
【０００５】
しかしながらこのようなデザインとした場合、電子カメラ（デジタルカメラ）に動画を撮影したときの音声を記録するための機能を持たせると、マイクのための音声取り込み孔やスピーカからの音声放出のための孔が必要となり、せっかくの高級感あふれるデザインが台無しになる可能性がある。
【０００６】
こういった携帯機器におけるスピーカやマイクの配置については、例えば特許文献１に、携帯電話に関するものではあるが、スライド可能なハンズフリースピーカを配置することが開示されている。また特許文献２には、マイクを覆うスライドカバーを備えるビデオ一体型カメラが開示されている。
【０００７】
【特許文献１】特開２０００−３１６０４０号公報
【特許文献２】特開平８−３２８４１号公報（図７）
【発明の開示】
【発明が解決しようとする課題】
【０００８】
しかしながら特許文献１に示された携帯電話では、ハンズフリースピーカが常に外部に表出していて、高級感あふれるデザインにはマッチしない。また、特許文献２に示された技術では、マイクがスライドカバーで覆われているが、スピーカは表示装置のある前面に従来と同様音声放出用孔を有して設けられており、これも高級感あふれるデザインにはマッチしない。
【０００９】
そのため本発明においては、スピーカやマイクなどの新規な収納方法を採用した撮像装置を提供することが課題である。
【課題を解決するための手段】
【００１０】
上記課題を解決するため本発明における撮像装置は、
撮影レンズ体を有する撮像装置本体と、該撮像装置本体に所定の方向にスライド可能に配置されるスライドカバー部とを備え、
前記スライドカバー部には、閉状態では外部空間に表出されず、開状態で外部空間に表出されるスピーカ及び／またはマイクとを有することを特徴とする。
【００１１】
同様に、上記課題を解決するため本発明における撮像装置は、
撮影レンズ体を有する撮像装置本体と、該撮像装置本体に所定の方向にスライド可能に配置されて前記撮像レンズ体を保護するスライドカバー部とを備え、
前記スライドカバー部には、前記撮像レンズ体を保護するレンズカバー部と、前記レンズカバー部が前記撮像レンズ体を覆っている状態では外部空間に表出されず、前記レンズカバー部を所定方向にスライドさせて前記撮像レンズ体を露出させた状態で外部空間に表出されるスピーカ及び／またはマイクとを有することを特徴とする。
【００１２】
このように、スピーカ及び／またはマイクをスライドカバー部に設け、該スライドカバー部が閉状態、またはレンズカバー部が撮像レンズ体を覆っている状態では外部空間に表出されず、開状態、またはレンズカバー部を所定方向にスライドさせて撮像レンズ体を露出させた状態では外部空間に表出されるよう設けることにより、外部に孔部や突出部を設ける必要が無く、従って、高級感あふれるデザインとすることのできる撮像装置を提供することができる。
【００１３】
また、上記課題を解決するため本発明における撮像装置は、
撮影レンズ体を有する撮像装置本体と、該撮像装置本体に所定の方向にスライド可能に配置されて前記撮像レンズ体を保護するスライドカバー部とを備え、
前記撮像装置本体には一側面から前記所定の方向に延びる中空部が設けられ、
前記スライドカバー部には、前記中空部に挿入可能な挿入体と、該挿入体部に備えられ、前記挿入体が否露出状態では外部空間に表出されず、露出状態で外部空間に表出されるスピーカ及び／またはマイクとを有することを特徴とする。
【００１４】
さらに同様に、本発明における撮像装置は、
撮影レンズ体を有する撮像装置本体と、該撮像装置本体に所定の方向にスライド可能に配置されて前記撮像レンズ体を保護するスライドカバー部とを備え、
前記撮像装置本体には一側面から前記所定の方向に延びる中空部が設けられ、
前記スライドカバー部には、前記撮像レンズ体を保護するレンズカバー部と一体の前記中空部に挿入可能な挿入体と、該挿入体部に備えられ、前記レンズカバー部が前記撮像レンズ体を覆っている状態では外部空間に表出されず、前記レンズカバー部を所定方向にスライドさせて前記撮像レンズ体を露出させた状態で外部空間に表出されるスピーカ及び／またはマイクとを有することを特徴とする。
【００１５】
このように、スピーカ及び／またはマイクを撮像装置本体に設けられた中空部に挿入可能な挿入体を備えたスライドカバー部に、挿入体が否露出状態、すなわちレンズカバー部が前記撮像レンズ体を覆っている状態では外部空間に表出されず、挿入体が露出状態、すなわちレンズカバー部を所定方向にスライドさせて撮像レンズ体を露出させた状態で外部空間に表出されるよう設けることにより、外部に孔部や突出部を設ける必要が無く、従って、高級感あふれるデザインとすることのできる撮像装置を提供することができる。
【００１６】
前記挿入体は切り欠き部を有し、前記挿入体が露出した状態で切り欠き部が撮像装置本体から露出して挿入体内部と外部空間とが連通することで、スピーカからの音声、またはマイクへの音声は、遮るものがないから良好な状態でスピーカから、またはマイクへ達することができる。
【００１７】
前記スピーカ及び／またはマイクは、前記挿入体の内側、さらに、前記挿入体における前記スライドカバー部のスライド方向側面内側に収納されていることが好適な実施形態である。
【００１８】
さらに、本発明における撮像装置は、
撮影レンズ体を有する撮像装置本体と、該撮像装置本体に所定の方向にスライド可能に配置されて前記撮像レンズ体を保護するスライドカバー部とを備え、
前記撮像装置本体には一側面から前記所定の方向に延びる中空部が設けられ、
前記スライドカバー部には、前記撮像レンズ体を保護するレンズカバー部と一体となり、切り欠き部を有して前記中空部に挿入可能な挿入体と、該挿入体部における内側に備えられ、前記レンズカバー部が前記撮像レンズ体を覆っている状態では外部空間に表出されず、前記レンズカバー部を所定方向にスライドさせて前記撮像レンズ体を露出させた状態では前記切り欠き部を介して外部空間に表出されるスピーカ及び／またはマイクとを有することが本発明の好適な実施形態である。
【発明の効果】
【００１９】
本発明によれば、スピーカやマイクのために外部に孔部や突出部を設ける必要が無い撮像装置を提供することができる。
【発明を実施するための最良の形態】
【００２０】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２１】
図１乃至図４は、本発明の撮像装置を備えた一例の電子カメラの概略を説明するための図であり、図１は非撮影状態の電子カメラ１０を正面側（被写体側）から示す斜視図、図２は電子カメラ１０を同じく背面側から示す斜視図、図３は撮影時の電子カメラ１０を正面側から見た図、図４は同じく背面側から見た図である。
【００２２】
図示の電子カメラ１０は、撮像装置本体１１を有し、この撮像装置本体１１の前面（正面：被写体）側には、撮像レンズ体２１（図３参照）が装着されている。この撮像レンズ体２１は、レンズユニットの一部を構成し、図示はしないが、レンズユニットはさらにシャッタ機構及びＣＣＤ（電荷結合素子）を有している。
【００２３】
さらに、撮像装置本体１１にはスライドカバー部１２が装着され、このスライドカバー部１２は、撮像装置本体１１に、図１に実線矢印で示す方向にスライド可能に支持されており、このスライドカバー部１２によって非撮影時には撮像レンズ体２１が保護される。つまり、スライドカバー部１２は撮像レンズ体２１を覆う第１の位置と撮像レンズ体２１を露出させる第２の位置との間でスライド可能となっている。
【００２４】
このスライドカバー部１２は、正面側に位置する正面部（レンズカバー部）１２ａ、正面側から見て右側面側に位置する右側面部１２ｂと、背面側に位置する背面部（表示部カバー部）１２ｃとを有しており、撮像装置本体１１を正面部１２ａと背面部１２ｃとで挟むようにして、撮像装置本体１１にスライド可能に配置されている。図示の例では、正面部１２ａから右側面部１２ｂにわたって、つまり、二面にわたってストロボ発光部１３が形成されており（スライドカバー部１２が開く方向の端部側において、スライドカバー部１２の前面及び少なくとも前面に連続する側面にストロボ発光部を形成する）、このストロボ発光部１３からストロボ撮影の際、光が発光される。なお、上述の例では、撮像装置本体１１、撮像レンズ体２１、スライドカバー部１２によって撮像装置１６が構成される。
【００２５】
図２に示すように、撮像装置本体１１の背面には表示部（例えば、液晶ディスプレイ）１４が配置されるとともに、操作部１５が配置されており、操作部１５には、例えば、レリーズボタン、モードダイヤル、及び各種ファンクションキー等が備えられている。そして、前述の第１の位置にスライドカバー部１２が位置付けられている際には、背面部１２ｃによって液晶ディスプレイ１４の一部分が覆われた状態となる（背面部１２ｃは液晶ディスプレイ１４の全てを覆うようにしてもよいが、少なくとも液晶ディスプレイ１４の一部を覆うようにすればよい）。
【００２６】
図３及び図４を参照して、電子カメラ１０で撮影を行う際には、スライドカバー部１２を第１の位置から第２の位置にスライドさせる。これによって、図３に示すように、撮像レンズ体２１が露出し、主電源がオン状態となって、液晶ディスプレイ１４が明るくなる。この際、図４に示すように、スライドカバー部１２の背面部１２ｃがスライドして、液晶ディスプレイ１４の全てが露出することになる。また、スライドカバー１２のスライドによってストロボ発光部１３は撮像レンズ体２１の取付位置よりもさらに外側に移動することになって、ストロボ撮影の際には、撮像レンズ体２１とストロボ発光部１３との距離が大きくなり、赤目現象などを防止することができる。
【００２７】
図３に示すように、シャッターボタン２２は撮像装置本体１１の上面の一端部側に配置されており、スライドカバー部１２はシャッターボタン２２の配置された一端部側とは逆の端部側方向にスライドする。これによって、電子カメラ１０を両手で把持して撮影を行う際、シャッターボタン操作を行う手とは別の手でスライドカバー部１２をスライド操作することができる。
【００２８】
ストロボ撮影を行う際には、操作部１５によってストロボ撮影モードをオンするとともに、各種撮影モード、画像再生モード、及びフラッシュ待ち時間等を設定する。この各種撮影モードには、例えば、「通常撮影」、「連写撮影」、「ファイン撮影」、「静止画」、及び「動画」等があり、画像再生モードには「静止画」及び「動画」等がある。そして、画像再生モードを設定すると、撮影後液晶画面１４に撮影した画像が再生表示される。これら各種撮影モード、画像再生モード、及びフラッシュ待ち時間等は動作モードと呼ばれ、撮像装置本体１１に収納されたマイクロプロセッサ（制御手段及び電源オン手段：図示せず）は、動作モードに応じて光の強さ、色を変化させることや、点滅させる等、ストロボ発光部１３からの発光を制御することができる。
【００２９】
前述のシャッタ機構は、例えば、オートフォーカス（ＡＦ）機構、絞り機構、及びフィルタ機構等を有しており、レリーズ時における露光を制御する。撮像レンズ体２１から入射した被写体等の光学像は、ＣＣＤに結像されて光学像が電気信号に変換される。そして、マイクロプロセッサによってＣＣＤからの出力信号（電気信号）は、所定のサンプリング周波数でサンプリングされてデジタル値（デジタル画像データ）に変換され、デジタル画像データを色差成分と輝度成分に分けて、例えばＪＰＥＧ（Ｊｏｉｎｔ  Ｐｈｏｔｏｇｒａｐｈｉｃ  Ｅｘｐｅｒｔｓ  Ｇｒｏｕｐ）準拠の画像圧縮／伸長のための直交変換及びハフマン符号化／復号化等の処理が行われる。そして、このようにして圧縮処理された画像データは一旦メモリに記憶される。
【００３０】
つまり、図示の電子カメラでは、レリーズボタン又はシャッターボタン２２を押下する以前から、ＣＣＤによって捉えられている画像を液晶ディスプレイ１４にリアルタイムで表示し、液晶ディスプレイ１４は電子的に撮像視野を確認するための電子ファインダ機能を有しており、この電子ファインダを観察しつつ、レリーズボタン等を操作して撮像を行うことになる。この際、必要に応じてストロボ発光部１３を発光させ、撮像によって得られた画像データは、ファンクションキーによって再生操作を行うと、随時撮像結果として液晶ディスプレイ１４に表示される。
【００３１】
このようにして、液晶ディスプレイ１４には撮像前及び撮像中のデジタル画像データがリアルタイムで表示され、電子ファインダとして機能し、さらに、撮像後のデジタル画像データ及び伸長されて復元された記録画像データが表示される。また、液晶ディスプレイ１４には電子カメラの動作状態等のモード表示が行われる。なお、電子カメラの電源部には、バッテリーが用いられ、バッテリーは、Ｎｉ−Ｃｄ（ニッケルカドミウム）電池、ニッケル水素電池、又はリチウム電池等が用いられる。
【００３２】
図示の電子カメラでは、ストロボ発光部１３を撮像装置１６の前面（被写体側の面）から少なくとも前面に連続する一側面にわたって形成するようにしたから、ストロボ撮影の際、簡単な構成で広範囲にストロボ発光部１３から光を照射することができることになり、しかもストロボ発光部１３の発光状況を被写体側のみならず、撮影者側からも容易に視認することができる。
【００３３】
また、ここでは、撮像レンズ体２１を保護するスライドカバー部（レンズカバー）１２にストロボ発光部１３を配置して、スライドカバー部１２が開く方向の端部側において、スライドカバー部１２の前面及び少なくとも前面に連続する側面にストロボ発光部１３を形成するようにしたから、スライドカバー部１２をスライドさせて撮像レンズ体２１を露出させた際には、ストロボ発光部１３と撮像レンズ体２１の距離が大きくなり、ストロボ撮影の際に生じる赤目現象を低減できる。
【００３４】
さらに、スライドカバー部１２は前面部と背面部とを有し、前面部によって撮像レンズ体２１が覆われている際には、背面部によって液晶ディスプレイ１４の少なくとも一部が覆われるようにしたので、非撮影時においては、スライドカバー部１２によって撮像レンズ体２１が保護されると共に、液晶ディスプレイ１４の保護も行われる。スライドカバー部１２をスライドさせて撮像レンズ体２１を露出させた時に主電源がオンされるようにし、また逆に、スライドカバー部１２をスライドさせて撮像レンズ体２１を該スライドカバー部１２によって覆うと、電源がオフされるようにしたので、使用動作と主電源のオン・オフが一致しており、電源のオフを失念することがない。
【００３５】
加えて、シャッターボタン２２を撮像装置本体の上面の一端部側に配置して、スライドカバー部１２はシャッターボタン２２の配置された一端部側とは逆の端部側方向にスライドするようにしたから、電子カメラ１０を両手で把持して撮影を行う際、シャッターボタン２２の操作を行う手（指）とは別の手でスライドカバー部１２をスライド操作することができ、操作性が向上されることになる。
【００３６】
図５は撮像装置本体１１とスライドカバー部１２とを分解して示す斜視図であり、図６はさらにスライドカバー部１２内部に配置したスピーカ１７を示した斜視図である。図示の例では、撮像装置本体１１内に収納されるマイクロプロセッサ等の各種制御要素等は省略されている。図示のように、撮像装置本体１１の一側面（撮像装置本体１１の背面側から見て左側面）には他側面（右側面）側に延びる中空部３１が形成されており、図示の例では、この中空部３１は角筒状に成形されている。この中空部３１の四辺（一側面側から他側面側に延びる四辺）には、フレーム部材（ガイド部材）３１ａ〜３１ｄが配置され、このフレーム部材３１ａ〜３１ｄによって中空部３１が規定されている。なお、この中空部３１は、スライドカバー部１２が第１の位置に位置付けられて、撮像レンズ体２１が覆われた際、後述するようにして、スライドカバー部１２が収納される奥行きを有している。
【００３７】
一方、図示のように、スライドカバー部１２は略角柱状のフレーム体（挿入体）１２１を有しており、図示のように、フレーム体１２１の前面（正面）から側面に渡って前述のストロボ発光部１３が取り付けられている。図５に於けるフレーム体１２１の正面１２１ａ、側面１２１ｂ、及び背面１２１ｃには、それぞれ図６に示したように正面部１２ａ、側面部１２ｂ、及び背面部１２ｃが取り付けられる。そして、フレーム体１２１の上面１２１ｄ及び下面１２１ｅは、フレーム体１２１の正面１２１ａ及び背面１２１ｃに比べてその長手方向寸法が短く成形されて切り欠き部１２１ｆを形成しており、図３から明らかなように、スライドカバー部１２が撮像レンズ体２１を露出させる第２の位置にスライドされたとき、この切り欠き部１２１ｆの存在によってスライドカバー部１２の内部が外部空間と連通する。
【００３８】
フレーム体１２１の内部空間には、ストロボ発光部１３に接続され、ストロボ発光部１３に高電圧（ストロボ電圧）を供給するストロボユニット（図示せず）が、フレーム体１２１における側面１２１ｂ側にはスピーカ１７が、さらにフレーム体１２１の上面１２１ｄにはマイク１８が配設されている。ストロボユニットの長手方向寸法は、フレーム体１２１の上面１２１ｄ及び下面１２１ｅの長手方向長さ未満とされ、ストロボユニットはフレーム体１２１の正面１２１ａ、側面１２１ｂ、背面１２１ｃ、上面１２１ｄ、下面１２１ｅで規定される内部空間に収納されている。スピーカ１７は、前記したように、スライドカバー部１２が撮像レンズ体２１を露出させる第２の位置にスライドされたとき、この切り欠き部１２１ｆの存在によって外部空間と連通し、音声を遮るものがないから外部に孔部や突出部を設けることなく良好な状態でスピーカから放出される。またはマイク１８は、同じくスライドカバー部１２が撮像レンズ体２１を露出させる第２の位置にスライドされたとき、外部に表出して録音が可能となり、これらスピーカ１７、マイク１８は従来のように、外部に孔部や突出部を設ける必要が無いから、撮像装置１０を高級感あふれるデザインとしても何ら違和感が生じない。
【００３９】
なお、これらスピーカ１７やマイク１８は、図示した位置だけに限定されることなく、スライドカバー部１２が前記第１の位置から第2の位置にスライドするに際し、外部空間に表出する位置であればどの位置でも良く、例えばスピーカ１７をマイク１８の設置されている上面１２１ｄに設けたり、マイク１８をスピーカ１７の設置されている位置に設けても良い。更にはレンズカバー部１２ａの裏側面や、表示カバー部１２ｃの裏側面に設けることができる。また、音声が外部に伝わるように、切り欠き部１２１ｆと同様な切り欠きを他の面に設けても良い。
【００４０】
フレーム体１２１の正面１２１ａ及び背面１２１ｃの長手方向辺（長手方向エッジ）１２２ａ〜１２２ｄ（エッジ１２２ｂは示されていないが、エッジ１２２ａに対向するエッジである）は、それぞれガイド部材として機能するフレーム部材３１ａ〜３１ｄに案内されて、前述の中空部３１に挿入される。これによって、フレーム体１２１、つまり、スライドカバー部１２が中空部３１に挿入されることになるが、フレーム体１２１は上面１２１ｄ又は下面１２１ｅのいずれかが中空部３１を規定する奥行き側端部に当接した際その挿入が停止される。この位置が前述した第１の位置である。
【００４１】
前述のように、フレーム体１２１の正面１２１ａ及び背面１２１ｃはその長手方向長さが上面１２１ｄ及び１２１ｅよりも長いから、フレーム部材３１ａ〜３１ｄに案内されつつ中空部３１から出てそれぞれ撮像装置本体１１の正面及び背面に沿って図５に左側に移動することになる。この結果、第１の位置においては、フレーム体１２１の正面１２１ａ（つまり、スライドカバー部１２の正面部１２ａ）及びフレーム体１２１の背面１２１ｃ（つまり、スライドカバー部１２の背面部１２ｃ）によってそれぞれ撮像レンズ体２１及び液晶表示部１４が覆われることになる。
【００４２】
一方、スライドカバー部１２、つまり、フレーム体１２１を逆方向にスライドさせて、フレーム体１２１を第２の位置に位置付けると、撮像レンズ体２１及び液晶表示部１４が完全に露出し、同時にスピーカ１７とマイク１８が外部空間に表出することになる。なお、図示はしないが、フレーム体１２１には第２の位置となるとそれ以上のスライドを規制するストッパー部材が設けられている。
【００４３】
このようにして、スライドカバー部１２を撮像装置本体１１に形成された中空部３１に収納すると、スライドカバー部１２によって撮像レンズ体２１及び液晶ディスプレイ１４がスライドカバー部１２の一部によって覆われ、しかもスライドカバー部１２の表面にストロボ発光部１３を形成して、ストロボ発光部１３に電圧を印加するストロボユニットをスライドカバー部１２内に収納するようにしたから、つまり、非撮像時においては、スライドカバー部１２が撮像装置本体１１内に収納されるから、非撮影時におけるカメラ寸法を小さくすることができることになる。
【００４４】
また、非撮像時においては、スライドカバー部１２が撮像装置本体１１内に収納されるから、撮像装置本体自体の強度が向上し、カメラ１０をカバン等に安心して収納できることになる。
【００４５】
なお、以上の説明では、実施形態として図１乃至図４に示したような電子カメラの場合を例に説明してきたが、図７に示したように、カメラ本体４０の被写体側にスライドカバー部４１を設け、これを図７（Ａ）のように閉じて撮像レンズ体４２を保護する状態から、図７（Ｂ）に示したようにスライドさせて開状態にして、撮像レンズ体４２を露出できるようにすると共に図７（Ｃ）に示したように、スライドカバー部４１の裏側にスピーカ４３やマイク４４を設け、スライドカバー部４１を図７（Ｂ）のように開状態にした時に外部空間に表出させるようにしても良い。
【００４６】
このように本実施形態によれば、スピーカ１７及び／またはマイク１８を撮像装置本体１１に設けられた中空部３１に挿入可能な挿入体（略角柱状のフレーム体）１２１を備えたスライドカバー部１２に、挿入体が否露出状態、すなわち前記レンズカバー部１２ａが前記撮像レンズ体２１を覆っている状態では外部空間に表出されず、挿入体１２１が露出状態、すなわちレンズカバー部１２を所定方向にスライドさせて前記撮像レンズ体２１を露出させた状態で外部空間に表出されるよう設けることにより、外部に孔部や突出部を設ける必要が無く、従って、高級感あふれるデザインとすることのできる撮像装置を提供することができる。
【産業上の利用可能性】
【００４７】
本発明によれば、高級感あふれるデザインにマッチしたスピーカやマイクなどの収納方法を採用した撮像装置を提供することができる。
【図面の簡単な説明】
【００４８】
【図１】本発明の撮像装置を備えた一例の電子カメラにおける、非撮影状態を正面側（被写体側）から示した斜視図である。
【図２】本発明の撮像装置を備えた一例の電子カメラにおける、非撮影状態を背面側から示した斜視図である。
【図３】本発明の撮像装置を備えた一例の電子カメラにおける、撮影時を正面側（被写体側）から見た斜視図である。
【図４】本発明の撮像装置を備えた一例の電子カメラにおける、撮影時を背面側から見た斜視図である。
【図５】撮像装置本体とスライドカバー部とを分解して示す斜視図である。
【図６】スライドカバー部内部のスピーカを示した斜視図である。
【図７】本発明の撮像装置を備えた電子カメラの他の例を示したもので、（Ａ）はスライドカバー部を閉じた状態を、（Ｂ）は開いた状態を、（Ｃ）は開いた状態において表出されるスピーカとマイクを示したものである。
【符号の説明】
【００４９】
１０  電子カメラ
１１  撮像装置本体
１２  スライドカバー部
１２ａ  レンズカバー部（正面部）
１２ｂ  右側面部
１２ｃ  背面部（表示部カバー部）
１２１  略角柱状のフレーム体（挿入体）
１２１ａ  フレーム体１２１の正面
１２１ｂ  フレーム体１２１の側面
１２１ｃ  フレーム体１２１の背面
１２１ｄ  フレーム体１２１の上面
１２１ｅ  フレーム体１２１の下面
１２２ａ〜１２２ｄ  フレーム体の正面及び背面の長手方向辺（長手方向エッジ）
１３  ストロボ発光部
１４  表示部
１５  操作部
１６  カメラ本体撮像装置
１７  スピーカ
１８  マイク
２１  撮像レンズ体
２２  シャッターボタン
３１  中空部
３１ａ〜３１ｄ  フレーム部材（ガイド部材）
【図１】
2006067148.tif 000003
【図２】
2006067148.tif 000004
【図３】
2006067148.tif 000005
【図４】
2006067148.tif 000006
【図５】
2006067148.tif 000007
【図６】
2006067148.tif 000008
【図７】
2006067148.tif 000009